(57)【要約】【課題】低消費電力化とシステム応答性の改善を可能にしたネットワーク待機処理装置及びそれを用いたネットワーク接続装置とネネットワークシステムを提供する。【解決手段】ネットワーク接続装置は、制御部、ネットワーク側インターフェイス部、待機処理部を有する。制御部は、待機処理部により電源投入と起動制御が行われる。待機処理部は、制御部の電源遮断状態から上記起動制御による動作開始までの間に動作が有効とされ、上記動作の有効状態において、ネットワーク側インターフェイス部を介したホスト側からの制御部に対する起動信号を含む入力信号の取り込みと保持を行って制御部に対して電源投入と起動制御及びネットワーク側インターフェイス部を介して上記入力信号に対応した応答が可能にされる。【選択図】図１
2010098556.tif 000002
【特許請求の範囲】
【請求項１】
制御部と、
ネットワーク側インターフェイス部と、
待機処理部とを有し、
上記制御部は、上記待機処理部により電源投入と起動制御が行われ、
上記待機処理部は、
上記制御部の電源遮断状態から上記起動制御による動作開始までの間に動作が有効とされ、
上記動作の有効状態において、上記ネットワーク側インターフェイス部を介したホスト側からの上記制御部に対する起動信号を含む入力信号の取り込みと保持を行って上記制御部に対して電源投入と起動制御及び上記ネットワーク側インターフェイス部を介して上記入力信号に対応した応答が可能にされる、
ネットワーク接続装置。
【請求項２】
請求項１において、
上記待機処理部は、それが有効状態でないときには上記ネットワーク側インターフェイス部と上記制御部とを直接的に接続させる、
ネットワーク接続装置。
【請求項３】
請求項２において、
上記待機処理部は、
ネットワーク側インターフェイス部に対する入力部と、
ネットワーク側インターフェイス部に対する出力部と、
受信処理部と、
メモリ部と、
状態制御部とを有し、
上記受信処理部は、上記入力部を通して入力された上記入力信号の解読とそれに対応した信号処理を行い、
上記状態制御部は、上記受信処理部からの指示を受けて上記制御部に対する状態制御及び状態監視を行い、
上記メモリ部は、上記入力信号に含まれる必要な入力データの記憶と、制御部に対する起動制御に必要なデータベースの記憶を行う、
ネットワーク接続装置
【請求項４】
請求項３において、
上記制御部は、ＣＰＵを含む第１半導体装置で構成され、
上記待機処理部は、第２半導体装置で構成され、
上記ネットワーク側インターフェイス部は、第３半導体装置で構成され、
上記第１半導体装置は、上記待機処理部からの制御信号により電源の遮断／投入が可能にされ、
上記第２半導体装置と第３半導体装置とは、上記ネットワーク側インターフェイス部がネットワークに接続された状態のときに定常的に電源投入が行われる、
ネットワーク接続装置。
【請求項５】
請求項３において、
上記制御部は、ＣＰＵ及び上記待機処理部を含んだ第１半導体装置で構成され、
上記ネットワーク側インターフェイス部は、第３半導体装置で構成され、
上記第１半導体装置のＣＰＵ部は、上記待機処理部からの制御信号により電源の遮断／投入が可能にされ、
上記待機処理部及び第３半導体装置は、上記ネットワーク側インターフェイス部がネットワークに接続された状態においては定常的に電源投入が行われる、
ネットワーク接続装置。
【請求項６】
請求項３又は４において、
上記待機処理部は、
上記制御部の運用状態、休止状態及び復旧待ちの３状態を監視制御し、
上記運用状態は、上記制御部に電源投入が行われ、かつ信号の入出力動作が可能な状態であり、
上記休止状態は、上記制御部の電源が遮断された状態であり、
上記復旧待ち状態は、上記制御部の電源投入と起動が行われてから上記運用状態になるまでの待ち時間であり、
上記復旧待ち状態において、上記入力信号の解読とそれに含まれる必要な入力データの記憶及び入力信号に対応した応答が行われる、
ネットワーク接続装置。
【請求項７】
ネットワーク側インターフェイス回路に対する入力部と、
ネットワーク側インターフェイス回路に対する出力部と、
受信処理部と、
メモリ部と、
状態制御部とを有し、
上記受信処理部は、ホスト側からネットワーク及び上記ネットワーク側インターフェイス回路と上記入力部を通した入力信号の解読とそれに対応した信号処理及び上記ホスト側に対する応答が可能とされ、
上記状態制御部は、上記受信処理部からの指示を受け、上記ネットワークに接続される端末装置の制御部に対する電源投入を含む状態制御及び状態監視を行い、
上記メモリ部は、上記入力信号に含まれる必要な入力データの記憶と、上記制御部に対する起動制御に必要なデータベースの記憶を行い、
上記ネットワーク側インターフェイス回路がネットワークに接続された状態においては上記ネットワーク側インターフェイス回路とともに定常的に電源供給が行われる、
ネットワーク待機処理装置。
【請求項８】
ネットワークと、
上記ネットワークに接続される第１及び第２ネットワーク接続装置を有し、
上記第１ネットワーク接続装置は、上記第２ネットワーク接続装置に対して電源投入を含む動作指示を行うホストであり、
上記第２ネットワーク接続装置は、
制御部と、
ネットワーク側インターフェイス部と、
待機処理部とを有し、
上記制御部は、上記待機処理部により電源投入と起動制御が行われ、
上記待機処理部は、上記制御部の電源遮断状態から上記起動制御による動作開始までの間において動作有効状態とされ、非動作有効状態のとき上記ネットワーク側インターフェイス部と上記制御部とを直接的に接続させ、
上記動作有効状態において、上記ネットワーク側インターフェイス部を介した上記ホストからの上記制御部に対する起動信号を含む入力信号の取り込みと保持を行って上記制御部に対して電源投入と起動制御及び上記ネットワーク側インターフェイス部を介して上記入力信号に対応した上記ホストへの応答が可能にされる、
ネットワークシステム。
【発明の詳細な説明】
【技術分野】
【０００１】
この発明は、ネットワーク待機処理装置及びそれを用いたネットワーク接続装置とネットワークシステムに関し、例えばネットワークシステムにおける電源管理技術に利用して有効な技術に関するものである。
【背景技術】
【０００２】
パワーマネージメント起動信号を発生するためのネットワークインタフェース内の装置および方法に関して、特開平１１−１７５２０１号公報がある。この公報においては、装置の電源投入が特定パケットを用いて制御される。装置が電源遮断状態の時、その装置はネットワークから切り離される。
【０００３】
【特許文献１】特開平１１−１７５２０１号公報
【発明の開示】
【発明が解決しようとする課題】
【０００４】
特許文献１においては、ネットワーク内装置の電源オフ時にネットワークから切り離されるため、ネットワークシステムのアドレス解決およびヘルスチェック等で管理上の接続性維持の問題が発生する。つまり、特許文献１の発明及びその従来技術でのパワーマネージメント機構においては、図９に示された動作線図のように、低消費電力化のために休止状態のときに電源遮断されたプリンタ等のようなネットワーク接続装置に対して、ホスト側からパケット１が送られる。プリンタ側では、インターフェイス回路ＰＨＹを介して制御部を構成するＣＰＵ（マイクロコンピュータ）が上記パケット１を取り込み、印刷動作に向けてヒータに通電を開始する。
【０００５】
図９のネットワーク接続装置としてのレーザープリンタにおいては、上記パケット１の受信のためにネットワーク側インターフェイス部ＰＨＹ及び制御装置としてのＣＰＵ（マイクロコンピュータ）は、上記休止状態においても電源供給状態とされ、大きな消費電流を必要とするヒータ等の電源を同図に点線で示したように遮断して上記低消費電力を図るようにされている。プリンタ側においては、電源投入開始から波線で示したようにヒータ温度が印刷動作に必要な温度に達するまでの間、印刷動作が不可能であるために、上記パケット１に含まれる起動信号以外の印刷データ等を廃棄してしまう。
【０００６】
ホスト側においては、印刷動作が可能になってプリンタ側から印刷開始等の応答信号（パケット５）が返送されないので、一定期間（タイマ１〜３）待っても応答信号が無いことを待って、その都度同じパケット（パケット２〜４）を複数回にわたって上記ネットワーク接続装置に再送する。プリンタ側では、上記起動中に再送されたパケット１〜３に含まれる印刷データ等は、前記同様に印刷動作が不可能であるために廃棄してしまう。図９の例では、パケット４が入力されたとき、プリンタ側においては、上記ヒータ温度が印刷可能な温度とされ、パケット４に含まれる印刷データを用いた印刷が開始される。プリンタ側からはプリント開始等のパケット５がホスト側に送られる。
【０００７】
ネットワークシステムの構成要素である個々のネットワーク接続装置においては、装置本来の処理とは別に、ネットワーク接続を継続的に維持するための定常的または一時的な処理を求められる。その一方で、半導体技術の進展によりＬＳＩの大規模集積化や高性能化が進み、プリンタ装置本来の処理とネットワークの処理を行う制御部が単一のシステムＬＳＩ、あるいは上記のように同一のＣＰＵ（マイクロコンピュータチップ）で行われることが多く、上記休止状態での更なる低消費電力化を妨げる大きな要因になっている。
【０００８】
ネットワークシステムの構成要素であるネットワーク接続装置としてのホスト側においては、上記プリンタ側からのパケット５を受信するまでは、上記プリンタ側の起動中なのか、それともプリンタそのものがネットワーク上に存在しない（接続されない）状態、あるいはネットワークそのものに切断等の問題があるかが不明である。上記ネットワークシステムを構成するプリンタ等のネットワーク接続装置においては、電源投入開始から動作可能状態に至るまでの時間が様々であり、ホスト側は最も遅いものに合わせて上記再送回数を設定しなければならず、比較的長い時間を設定することが要求され、前記のようなネットワークシステムのアドレス解決およびヘルスチェック等で管理上の接続性維持が判明するまでに要する時間が長くネットワークシステムとしての応答性が悪いという問題がある。
【０００９】
この発明の目的は、低消費電力化とシステム応答性の改善を可能にしたネットワーク待機処理装置及びそれを用いたネットワーク接続装置とネットワークシステムを提供することにある。この発明の前記ならびにそのほかの目的と新規な特徴は、本明細書の記述および添付図面から明らかになるであろう。
【課題を解決するための手段】
【００１０】
本願において開示される１つの実施例は、以下の通りである。ネットワーク接続装置は、制御部、ネットワーク側インターフェイス部、待機処理部を有する。制御部は、待機処理部により電源投入と起動制御が行われる。待機処理部は、制御部の電源遮断状態から上記起動制御による動作開始までの間に動作が有効とされ、上記動作の有効状態において、ネットワーク側インターフェイス部を介したホスト側からの制御部に対する起動信号を含む入力信号の取り込みと保持を行って制御部に対して電源投入と起動制御及びネットワーク側インターフェイス部を介して上記入力信号に対応した応答が可能にされる。
【００１１】
本願において開示される他の１つの実施例は、以下の通りである。ネットワーク待機処理装置は、ネットワーク側インターフェイス回路に対する入力部及び出力部、受信処理部、メモリ部、状態制御部を有する。受信処理部は、ホスト側からネットワーク及びネットワーク側インターフェイス回路と入力部を通した入力信号の解読とそれに対応した信号処理及びホスト側に対する応答が可能とされる。状態制御部は、受信処理部からの指示を受け、ネットワークに接続される端末装置の制御部に対する電源投入を含む状態制御及び状態監視を行う。メモリ部は、入力信号に含まれる必要な入力データの記憶と、制御部に対する起動制御に必要なデータベースの記憶を行う。ネットワーク側インターフェイス回路がネットワークに接続された状態においてはネットワーク側インターフェイス回路とともに定常的に電源供給が行われる。
【００１２】
本願において開示される他の１つの実施例は、以下の通りである。ネットワークシステムは、ネットワーク、ネットワークに接続される第１及び第２ネットワーク接続装置を有する。第１ネットワーク接続装置は、第２ネットワーク接続装置に対して電源投入を含む動作指示を行うホストである。第２ネットワーク接続装置は、制御部、ネットワーク側インターフェイス部、待機処理部を有する。制御部は、待機処理部により電源投入と起動制御が行われる。待機処理部は、制御部の電源遮断状態から起動制御による動作開始までの間において動作有効状態とされ、非動作有効状態のときネットワーク側インターフェイス部と制御部とを直接的に接続させる。動作有効状態において、ネットワーク側インターフェイス部を介したホストからの制御部に対する起動信号を含む入力信号の取り込みと保持を行って制御部に対して電源投入と起動制御及びネットワーク側インターフェイス部を介して入力信号に対応したホストへの応答が可能とされる。
【発明の効果】
【００１３】
ネットワーク接続装置が休止状態のときに、ネットワーク側との信号処理を待機処理装置が受け持ち、制御部も含めた電源遮断により低消費電力化が可能になる。ネットワーク接続装置が休止状態から動作状態に至る間、入力信号受け付けたことを相手側に応答し、必要なデータを保持できるのでシステム応答性の改善を図ることができる。
【発明を実施するための最良の形態】
【００１４】
図１には、この発明に係るネットワークシステムの一実施例の概略ブロック図が示されている。この実施例では、最も簡単な例として、社内又はオフィス内ＬＡＮ（ローカル・エリア・ネットワーク）のようなネットワーク２を中心にして、パーソナルコンピュータ等のようなホスト１と、ネットワークプリンタ３とのような複数のネットワーク接続装置から構成される。この実施例のネットワークシステムには、環境意識の高まりに沿った省電力化を目的として、ネットワーク接続装置毎での適正な電源オン／オフ機構と、その応答性の改善が求められている。制御部３３は、特に制限されないが、ＣＰＵ（マイクロコンピュータ）、感光体に付着されたトナーを熱と圧力で用紙に転写させるときに必要な温度を形成するヒータ、感光体やローラを回転させるモータ駆動回路等からなる。
【００１５】
この実施例のネットワークシステムにおいては、ネットワーク接続装置としてのプリンタ３に例示的に示されているように、制御部３３と、ネットワーク側インターフェイス回路としてのネットワーク側論理３１の間に待機処理部３２が配置される。この待機処理部３２には、待機状態制御回路３２２、パケット受信＆待機処理回路３２１、パケットメモリ３２３、データベースメモリ（レジスタ）３２４、パケット送信回路３２５が設けられる。データベースメモリ３２４は、初期設定時または運用時に、プリンタ起動時に必要な各情報の設定と更新が可能とされる。パケット受信＆待機処理回路３２１は、データベースメモリ３２４の設定情報を参照することで、ネットワーク接続維持に必要な処理を、自立的かつ流動的に行う。
【００１６】
上記待機状態制御回路３２２においては、図２の状態遷移図に示したように待機２０と運用２１と初期設定２２のステータスが設けられる。そして、待機２０ステータス内には、休止２００と復旧待ち２０１の２つのステータスが設けられる。上記復旧待ち２０１のステータスとパケットメモリ１０２を組合せることで、待機２０から運用２１へ状態遷移時、ネットワーク接続性を損なわない状態移行を可能にする。つまり、上記休止２００においては、（１）運用状態への遷移指示の検出（復旧判定）、（２）ネットワーク側（ホスト側）への自動応答（パケット送信）、（３）自己に対する遷移指示ではないパケットの廃棄を行う。上記復旧待ち２０１においては、（１）特定パケットの保持、（２）ネットワーク側（ホスト側）への自動応答（パケット送信）、（３）不要なパケット廃棄等を行う。
【００１７】
上記運用２１では、（１）ネットワーク側（ホスト側）との間でパケット送受信、（２）データベースの更新が行われる。上記（１）ネットワーク側（ホスト側）との間でパケット送受信は、上記待機処理部３２が図１に点線で示した信号伝達経路３２６及び３２７を有効として、自身（待機処理部３２）は不動作状態になる。つまり、上記運用２１のときには、制御部３３とネットワーク側インターフェイス回路としてのネットワーク側論理３１とが上記信号伝達経路３２６及び３２７により直接的に接続されて上記（１）ネットワーク側（ホスト側）との間でパケット送受信が行われる。
【００１８】
この実施例では、ネットワーク接続装置であるプリンタ３の待機状態において、上記復旧待ち２０１を設けることにより、この間に上記待機処理回路３２１の動作によってネットワークの接続を維持することが可能である。待機状態での自立的なネットワーク応答処理が可能となり、また待機状態から運用状態へ移行時は、休止状態２００と復旧待ち２０１の２つの状態に分けられ、かかる復旧待ち２０１での上記待機処理回路３２１の動作によりネットワーク接続性を確保できるため、ネットワーク製品の待機状態における低消費電力制御の応答性の改善が可能となる。上記待機処理部３２の介在により、プリンタ等のネットワーク接続装置においては、制御部３３を含めて休止時には電源遮断を行うことができるので待機時のいっそうの低消費電力化を促進することができる。
【００１９】
この実施例のネットワーク接続装置においては、制御部とネットワーク側インターフェイス部を有する既存のネットワーク接続装置に、図１のような待機処理部を設けるだけでよく、既存装置のシステム構成を大きく変更せずに適用可能であり、各種ネットワーク製品の省電力化を容易に実現可能である。
【００２０】
図１に示したようなネットワークプリンタ３は、動作（運用）時と待機（休止）時のような２つの状態を持ち、上記待機時には低消費電力化の必要性が高いネットワーク製品である。本発明の適用により、ネットワーク接続を維持した低消費電力制御が容易に実現可能となるため。この発明は、ネットワーク接続装置で、待機時には低消費電力化の必要性が高い、例えばプロジェクタ、ネットワークストレージ装置（ＮＡＳ）においても、ネットワークプリンタと同様の使用形態が考えられるため本発明が同様に適用できる。
【００２１】
図３には、この発明に係るネットワーク接続装置の一実施例の概略ブロック図が示されている。この実施例では、ＰＨＹ（ネットワーク側）−ＬＳＩ３１０、待機処理ＬＳＩ３２０及び装置側ＬＳＩ３３０で構成される。装置側ＬＳＩ３３０は、前記図１の制御部３３のうちのＣＰＵに対応している。ＰＨＹ（ネットワーク側）−ＬＳＩ３１０は、ＭＩＩ（media independent interface）やＧＭＩＩ（gigabit media independent interface）等の標準インターフェイス回路であり、上記装置側（制御部）ＬＳＩ３３０との間に上記待機処理ＬＳＩ３２０を設けることで、既存製品への適用が容易となる。
【００２２】
ネットワークシステム上においては、上記ＰＨＹ（ネットワーク側）−ＬＳＩ３１０、待機処理ＬＳＩ３２０は、定常的に電源電圧ＶＤＤが供給され、上記装置側ＬＳＩ３３０に対しては、スイッチＳＷ等を介して電源電圧ＶＤＤが選択的に供給される。つまり、前記図２の休止２００ではスイッチＳＷがオフ状態となり、電源電圧ＶＤＤが遮断される。これにより、休止２００のときには、前記ヒータ等の電源遮断に加え、その制御回路であるＣＰＵ等の装置側ＬＳＩ３３０も電源遮断が行われて、ネットワーク接続装置における待機電力のいっそうの低消費電力化が可能になる。
【００２３】
図４には、この発明に係るネットワーク接続装置の他の一実施例の概略ブロック図が示されている。この実施例では、前記図１に示した待機処理部３２を、制御部を構成する装置側ＬＳＩ３３０に内蔵させ、前記ＭＩＩやＧＭＩＩ等の標準インターフェイスからなるネットワーク側ＬＳＩ３１０を介してネットワークに接続する。この実施例のように、待機処理部３２を、装置側ＬＳＩ３３０に内蔵することで、製品コストの低減を図ることが可能となる。
【００２４】
この実施例においては、装置側ＬＳＩ３３０に待機処理部３２が内蔵されることに対応して、装置側ＬＳＩ３３０内に電源遮断／供給を行うスイッチとしてのＭＯＳＦＥＴＱが設けられる。つまり、電源電圧ＶＤＤは、待機処理部３２に供給され、それ以外のＣＰＵ等からなる装置側回路部３３０には、上記ＭＯＳＦＥＴＱを介して電源電圧ＶＤＤが供給される。これにより、前記休止２００のときには、待機処理部３２によりスイッチＭＯＳＦＥＴＱがオフ状態にされて、ＣＰＵ等からなる装置側回路部３３０への電源も遮断される。図４において、上記待機処理部３２をネットワーク側ＬＳＩ３１０に内蔵させるものであってもよい。
【００２５】
図５には、図１のネットワークシステムにおけるパワーマネージメントの一例を説明する動作線図が示されている。ネットワーク接続装置としてのプリンタ側は、待機（休止）状態では、３３（装置）が省電力化のために前記図１に制御部３３として示されているＣＰＵ等を含み、点線で示したように電源遮断状態にされている。
【００２６】
パーソナルコンピュータのようなホスト側においては、印刷動作を行うときには印刷データを含んだ起動信号がパケット１としてネットワークを介してネットワークプリンタに送信される。このパケット１は、ＰＨＹ（ネットワーク側インターフェイス部）３１を介して３２（待機）が受け取る。３２（待機）は、前記図１の待機処理部３２に対応している。この待機処理部３２においては、自己に対する起動信号であることを検知し、起動信号ＷＵを３３（装置）に伝えるとともに、上記パケット１に含まれる印刷データをパケットメモリに保持する。そして、必要に応じて上記パケット１に対応した応答信号をパケット２をホスト側に返送する。
【００２７】
上記３３（装置）においては、上記ＣＰＵ（マイクロコンピュータ）に電源投入が行われて起動開始が行われる。ＣＰＵ（マイクロコンピュータ）は、上記電源投入により動作状態になって、３２（待機処理部）からの起動信号を受け取り、ヒータ等に通電を行い波線で示したように３３（装置）が印刷動作に必要な準備動作に入る。
【００２８】
ホスト側においては、上記パケット２の返送を受けて、上記プリンタ側の起動中を確認する。これにより、プリンタそのものがネットワーク上に存在し、起動準備中であること、あるいは印刷データを保持していること等（前記ネットワークシステムのアドレス解決およびヘルスチェック等で管理上の接続性維持）を認識できるので、前記図９に示したタイマによる一定期間毎のパケットの再送を行わなければならないという負担がなく、直ちに他の信号処理に移行し、印刷完了等をプリンタ側からのパケットにより受け取ることができる。
【００２９】
更に、プリンタ側の起動中において、ホスト側で別の印刷動作が必要なると、点線で示したようにパケット３を送信する。プリンタ側では、前記印刷準備中であるにもかかわらずパケット３に含まれる印刷データ等をパケットメモリに保持することができる。したがって、プリンタ側において、印刷動作が開始されるときには、上記パケットメモリに保持されたパケット１に対応した印刷動作に入ることができる。前記のようにパケット３も受信したなら、それに対応した印刷動作も引き続き行われる。
【００３０】
上記プリンタ側が運用状態に入ると、それに対応して待機処理部（待機）３２は、同図に点線で示したように非動作状態にされ、ＰＨＹ３１と制御部（装置）３３とを直接的に接続させる。したがって、ホスト側で更に別の印刷動作が必要なり、パケット４を送信すると、かかるパケット４は、ＰＨＹ３１を介して制御部（装置）３３に直接的に入力される。つまり、制御部（装置）部３３において、上記パケット４が解読されて印刷動作が行われる。
【００３１】
特に制限されないが、ホスト側はパケット５をプリンタ側に送信することにより、プリンタ側を前記待機（休止）状態にすることがある。このパケット５により前記待機処理部（待機）３２が再び動作状態となり、制御部（装置）３３が代わって電源遮断されて休止状態に入るようにされる。この他に、プリンタ側において、一定時間印刷動作の指示が無いことを持って、上記待機処理部（待機）３２を動作状態にしてから自立的に休止状態に入るようにするものであってもよい。
【００３２】
図６ないし図８には、前記図１のネットワークプリンタの起動動作の一例を説明するフローチャート図がそれぞれに分担して示されている。
【００３３】
図６には、待機処理部の起動から運用状態までのフォローチャート図が示されている。電源投入で起動し、運用開始指示のコマンド受信を待つ（判断５０１）。運用開始指示コマンドを受信すると、運用状態に遷移し、次のコマンド受信を待つ（判断５１０）。運用状態では、パケット受信を行うと（判断５１１）、ネットワーク側論理部からの受信データ（パケット）をパケット受信処理で制御部へ転送する。送信指示コマンドを受け取ると（判断５１４）、制御部からの送信データをインターフェイスへ送信する（パケット送信処理）。さらに、制御部からの指示で、待機状態に遷移する。
【００３４】
図７には、待機状態のフローチャート図が示されている。パケット受信を行うと（判断５２１）、インターフェイスからの受信データ（パケット）を、データベースに従って分析し、応答(５２５)、廃棄（５２８）および復旧処理を行う。復旧処理では、当該パケットをパケットメモリに記録（５２９）し、復旧待ち状態に遷移し、復旧信号をアサートする。また、待機状態で、運用開始指示コマンドを受信すると（判断５２２）、運用状態に遷移する。
【００３５】
図８には、復旧待ち状態のフローチャート図が示されている。インターフェイスからの受信データ（パケット）を、データベースに従って分析し、応答(５３７)、廃棄（５３９）および復旧処理を行う。復旧処理は当該パケットをパケットメモリに記録（５４１）する。復旧待ち状態で、運用開始指示コマンドを受信すると（判断５３３）、運用状態に遷移する。
【００３６】
以上本発明者によってなされた発明を、前記実施形態に基づき具体的に説明したが、本発明は、前記実施形態に限定されるものではなく、その要旨を逸脱しない範囲において種々変更可能である。例えば、ネットワークは、イーサネット（登録商標）型ＩＥＥＥ８０２．３ネットワーク等何であってもよい。図１において、パケットメモリとデータベース用のメモリ又はレジスタは、１つのメモリで構成してもよい。待機処理部を構成する各回路部は、前記同様な機能を持つものであれば何であってもよい。
【産業上の利用可能性】
【００３７】
省電力化に向けてネットワーク接続装置毎での適正な電源オン／オフ機構を有するネットワーク待機処理装置及びそれを用いたネットワーク接続装置とネットワークシステムに広く利用できる。
【図面の簡単な説明】
【００３８】
【図１】この発明に係るネットワークシステムの一実施例の概略ブロック図である。
【図２】図１の待機処理部の状態遷移図である。
【図３】この発明に係るネットワーク接続装置の一実施例の概略ブロック図である。
【図４】この発明に係るネットワーク接続装置の他の一実施例の概略ブロック図である。
【図５】図１のネットワークシステムにおけるパワーマネージメントの一例を説明する動作線図である。
【図６】図１のネットワークプリンタの起動動作の一例を説明する一部フローチャート図である。
【図７】図１のネットワークプリンタの起動動作の一例を説明する他の一部フローチャート図である。
【図８】図１のネットワークプリンタの起動動作の一例を説明する残り一部フローチャート図である。
【図９】従来のパワーマネージメントの一例を説明する動作線図である。
【符号の説明】
【００３９】
１…パーソナルコンピュータ（ネットワーク接続装置）、２…ネットワーク、３…ネットワークプリンタ（ネットワーク接続装置）、３１…ネットワーク側インターフェイス部（ネットワーク側論理，ＰＨＹ）、３２…待機処理部、３３…制御部、３２１…パケット受信＆待機処理回路、３２２…待機状態制御回路、３２３…パケットメモリ、３２４…データベースメモリ（レジスタ）、３２５…パケット送信回路、
２０…待機状態、２１…運用状態、２２…初期設定状態、２００…休止状態、２０１…復旧待ち状態、
３１０…ＰＨＹ−ＬＳＩ、３２０…待機処理ＬＳＩ（待機処理部）、３３０…装置側（制御部）ＬＳＩ、
【図１】
2010098556.tif 000003
【図２】
2010098556.tif 000004
【図３】
2010098556.tif 000005
【図４】
2010098556.tif 000006
【図５】
2010098556.tif 000007
【図６】
2010098556.tif 000008
【図７】
2010098556.tif 000009
【図８】
2010098556.tif 000010
【図９】
2010098556.tif 000011